(57)【特許請求の範囲】
【請求項１】
天面板と底面板を有する筐体と、前記天面板と前記底面板の間において縦姿勢で配置された熱交換器と、前記筐体の前面を閉じるように取り付けられ吹出グリルが設けられた前面板と、前記筐体の前記底面板から前記天面板に向かって立ち上るように前記熱交換器の前面の内側に沿って立設されたファン取付板と、該ファン取付板に前記前面板の前記吹出グリルの方向を向くように取り付けられた排気ファンと、前記筐体の前記底面板の上面に固定されたヒータと、該ヒータの少なくとも前記ファン取付板の前面側に位置する部分を覆う保護カバーと、を備えた空気調和器の室外機において、
前記底面板に凹部が形成され、前記ヒータの前記ファン取付板の前面側に位置する部分が前記凹部をまたぎ、前記保護カバーは前記凹部をまたぐように前記底面板の上面に取り付けられていることを特徴とする空気調和器の室外機。
【請求項２】
請求項１に記載の空気調和器の室外機において、
前記保護カバーは、前記ヒータを保護するヒータ保護部と、該ヒータ保護部を前記底面板の上面に固定するために該ヒータ保護部に連続して形成された取付片と、を有することを特徴とする空気調和器の室外機。
【発明の詳細な説明】
【技術分野】
【０００１】
本発明は、室内機に接続される空気調和機の室外機にかかわり、特に寒冷地仕様の室外機に関する。
【背景技術】
【０００２】
空気調和機の室外機は、その底面板に排出口から排出すべき水分が残留していると、特に屋外の気温が低い寒冷地では、その残留した水分が結氷する場合がある。そこで従来から、その結氷を防止するために、ヒータが使用されている（例えば、特許文献１）。
【０００３】
図３、図４にこのような寒冷地仕様の空気調和機の室外機１００を示す。図３において、室外機１００は、内部の空気を吹き出す吹出グリル１１１が設けられた前面板１１０の右側に、メンテナンス用の着脱自在のサービスパネル１２０が取り付けられ、右側面には室内機に接続される配管の接続端部を覆う配管カバー１３０が取り付けられている。
【０００４】
図４は室外機１００の前面板１１０を取り外した図である。室外機１００の筐体１４０の天面板１４１と底面板１４２の間における前面板１１０より奥部の中央に、ファン取付板１５０が立設され、このファン取付板１５０の上下方向のほぼ中央位置に、図３で示した吹出グリル１１１の方向を向くように、排気ファン１６０が取り付けられている。また、筐体１４０の底面板１４２の上面には、その底面板１４２に残留した水分の結氷防止のためのシーズヒータで構成されたヒータ１７０が配置され、そのヒータ１７０はクランパ１８０によって底面板１４２に固定されている。右側面板１４３は筐体１４０の右側面を形成する。熱交換器１９０は側面部１９１と背面部１９２を有するようＬ次形状に折り曲げた形状に形成されており、筐体１４０の背面から左側面に亘って天面板１４１と底面板１４２の間に縦姿勢で配置されている。
【０００５】
ヒータ１７０は、熱交換器１９０の下部内側に沿うように底面板１４２の上面に配置される熱交換器側配置部１７１と、底面板１４２の上面を熱交換器１９０の左前面から右奥端に向けて斜めに這うように配置される斜め配置部１７２を有する。クランパ１８０は、取付片１８１と、ヒータ１７０の熱交換器側配置部１７１を上から抑える押え部１８２を有する。このクランパ１８０は、取付片１８１がネジＢ２によってよって筐体１４０の底面板１４２の上面にネジ止めされることで、ヒータ１７０を固定している。
【先行技術文献】
【特許文献】
【０００６】
【特許文献１】特願２０１０−２６１７１２号公報
【発明の概要】
【発明が解決しようとする課題】
【０００７】
ところで、排気ファン１６０が取り付けられたファン取付板１５０は、ヒータ１７０がクランパ１８０によって筐体１４０の底面板１４２の上面に固定された後に、筐体１４０に対してその前側から縦姿勢で組み込まれる。このため、その組み込み時に、ファン取付板１５０がヒータ１７０の斜め配置部１７２に接触したり、作業者がヒータ１７０の斜め配置部１７２の部分を踏みつけて破損させる恐れがあった。特に、ヒータ１７０の斜め配置部１７２の下面の底面板１４２に、図３に示すような補強等のための凹部１４２ａが形成されている場合は、その部分を作業者が踏み付けるとヒータ１５０が折れる場合があった。
【０００８】
本発明の目的は、ヒータが破損しないようにした室外機を提供することである。
【課題を解決するための手段】
【０００９】
上記目的を達成するために、請求項１にかかる発明は、天面板と底面板を有する筐体と、前記天面板と前記底面板の間において縦姿勢で配置された熱交換器と、前記筐体の前面を閉じるように取り付けられ吹出グリルが設けられた前面板と、前記筐体の前記底面板から前記天面板に向かって立ち上るように前記熱交換器の前面の内側に沿って立設されたファン取付板と、該ファン取付板に前記前面板の前記吹出グリルの方向を向くように取り付けられた排気ファンと、前記筐体の前記底面板の上面に固定されたヒータと、該ヒータの少なくとも前記ファン取付板の前面側に位置する部分を覆う保護カバーと、を備えた空気調和器の室外機において、前記底面板に凹部が形成され、前記ヒータの前記ファン取付板の前面側に位置する部分が前記凹部をまたぎ、前記保護カバーは前記凹部をまたぐように前記底面板の上面に取り付けられていることを特徴とする。
【００１０】
請求項２にかかる発明は、請求項１に記載の空気調和器の室外機において、前記保護カバーは、前記ヒータを保護するヒータ保護部と、該ヒータ保護部を前記底面板の上面に固定するために該ヒータ保護部に連続して形成された取付片と、を有することを特徴とする。
【発明の効果】
【００１２】
本発明によれば、ヒータの少なくともファン取付板の前面側に位置する部分を保護カバーで覆ったので、排気ファンを取り付けたファン取付板を筐体に前面から取り付ける際に、ファン取付板がヒータに直接当たったり、作業者がヒータを直接踏みつけることはなくなり、ヒータが破損する恐れはなくなる。
【図面の簡単な説明】
【００１３】
【図１】本発明の実施例の室外機のヒータ部分を示す斜視図である。
【図２】本実施例のヒータの正面部分の説明図である。
【図３】一般的な室外機の正面図である。
【図４】図３の室外機の前面板を取り外した斜視図である。
【発明を実施するための形態】
【００１４】
図１に本発明の実施例の室外機のヒータ１７０が配置された部分を示す。図４で説明したものと同じものには同じ符号をつけた。本実施例は、筐体１４０の底面板１４２の上面にクランパ１８０によって固定されるヒータ１７０の斜め配置部１７２におけるファン取付板１５０に対応する位置、つまりファン取付板１５０の前面側に位置する部分を、堅牢な材質、例えば鉄で形成された保護カバー２００で覆って保護するようにした点が従来例と異なる。
【００１５】
この保護カバー２００は、ヒータ１７０の斜め配置部１７２の上面を覆う断面が円弧形状のヒータ保護部２０１と、そのヒータ保護部２０１の長手方向の両側に羽根のように広がった平板形状の取付片２０２，２０３とを有する。そして、この保護カバー２００は、ヒータ保護部２０１でヒータ１７０を上から覆って、取付片２０２，２０３をネジＢ１によって筐体１４０の底面板１４２の上面に固定することで、取り付けられる。
【００１６】
この保護カバー２００は、ヒータ１７０を筐体１４０の底面板１４２の上面に配置してからクランパ１８０によって固定する際に、そのクランパ１８０の取り付けと同時に、ヒータ１７０に取り付ける。この保護カバー２００の取り付けによって、その後に排気ファン１６０を搭載したファン取付板１５０を、筐体１４０の天面板１４１と底面板１４２の間に、熱交換器１９０の前面側から取り付ける際に、ファン取付板１５０や作業者の靴が保護カバー２００に当たることがあっても、ヒータ１７０に直接当たることはなくなり、ヒータ１７０が破損する恐れはなくなる。ヒータ１７０の斜め配置部１７２の下面の底面板１４２に凹部１４２ａが形成されている場合であっても、保護カバー２００がその凹部１４２ａを完全にまたぐようにその保護カバー２００の長さを設定することで、作業者の踏み付けによってヒータ１５０が折れる恐れはない。
【００１７】
なお、上記の実施例では、保護カバー２００をヒータ１７０の斜め配置部１７２におけるファン取付板１５０の前面側に位置する部分のみに設けたが、斜め配置部１７２の全体を覆うようにすれば、ヒータ１７０の保護がより完全となる。また、ヒータ１７０は、底面板１４２の上面では前面板１１０に平行な方向に配置される場合もあるが、この場合も、少なくともファン取付板１５０の前面側に位置する部分を保護カバー２００で覆うことが望ましい。
【符号の説明】
【００１８】
１００：室外機
１１０：前面板、１１１：吹出グリル
１２０：サービスパネル
１３０：配管カバー
１４０：筐体、１４１：天面板、１４２：底面板、１４２ａ：凹部、１４３：右側面板
１５０：ファン取付板
１６０：排気ファン
１７０：ヒータ、１７１：熱交換器側配置部、１７２：斜め配置部
１８０：クランパ、１８１：取付片、１８２：押え部
１９０：熱交換器、１９１：側面部、１０２：背面部
２００：保護カバー、２０１：ヒータ保護部、２０２，２０３：取付片
Ｂ１，Ｂ２：ネジ
【図１】
0006525202.tif 000002
【図２】
0006525202.tif 000003
【図３】
0006525202.tif 000004
【図４】
0006525202.tif 000005